【手続補正書】
【提出日】平成17年7月27日(2005.7.27)
【手続補正１】
【補正対象書類名】明細書
【補正対象項目名】発明の名称
【補正方法】変更
【補正の内容】
【発明の名称】送信文書編集装置、受信文書処理装置
【手続補正２】
【補正対象書類名】明細書
【補正対象項目名】特許請求の範囲
【補正方法】変更
【補正の内容】
【特許請求の範囲】
【請求項１】
複数仕様の機器宛に送信される送信文書であって、マーク付言語により記述された汎用文書を編集する送信文書編集装置であって、
マーク付言語により記述された汎用文書を記憶している文書記憶手段と、
仕様の異なる受信側機器毎に、当該受信側機器へのユーザの入力操作とその汎用文書の処理との対応関係を定義する入力情報を含む機器仕様情報を記憶している機器仕様情報記憶手段と、
前記文書記憶手段に記憶されている汎用文書と、前記機器仕様情報記憶手段に記憶されている複数の機器仕様情報とを読み出し、両者の関連付けを行い、関連付けたものを送信文書として生成する送信文書生成手段とを備えることを特徴とする送信文書編集装置。
【請求項２】
請求項１記載の送信文書編集装置において、
前記入力情報は、ユーザが当該受信側機器のボタン及び／又はキーを押下する操作と、その操作によってなされる汎用文書の処理との対応関係を示しおり、
前記送信文書生成手段は、受信側機器の仕様に応じた入力情報を前記機器仕様情報記憶手段から読み出し、各仕様毎に識別できる状態で送信文書の一部に含ませることを特徴とする送信文書編集装置。
【請求項３】
請求項２記載の送信文書編集装置において、
前記機器仕様情報は、更に、汎用文書を構成するテキスト要素の中の一部分のみを要約として表示対象として定義する出力情報を含む情報であり、
前記送信文書生成手段は、受信側機器の仕様に応じた入力情報と出力情報を前記機器仕様情報記憶手段から読み出し、各仕様ごとに識別できる状態で送信文書の一部に含ませることを特徴とする送信文書編集装置。
【請求項４】
請求項３記載の送信文書編集装置は、更に、
前記送信文書生成手段で生成された同一の送信文書を複数仕様の機器宛送信する送信手段を備えることを特徴とする送信文書編集装置。
【請求項５】
請求項３記載の送信文書編集装置において、
前記送信文書生成手段は、送信先の機器の仕様を取得し、取得した機器の仕様に対応する機器仕様情報のみを選択して送信文書を生成することを特徴とする送信文書編集装置。
【請求項６】
請求項１記載の送信文書編集装置は、更に、
前記送信文書生成手段で生成された送信文書を記憶している送信文書記憶手段と、
オペレータからシミュレーションする機器の仕様の指示を受け付ける受付手段と、
前記受付手段で受け付けられた機器の仕様に応じた前記送信文書記憶手段に記憶されている機器仕様情報と前記汎用文書とを読み出し、機器仕様情報に従い前記汎用文書からシミュレーション文書を作成して表示するシミュレーション実行手段とを備えることを特徴とする送信文書編集装置。
【請求項７】
請求項６記載の送信文書編集装置は、更に、
受信側機器の第１操作キーと本装置の第２操作キーとの対応関係を記録したシミュレーション情報を記憶しているシミュレーション情報記憶手段を備え、
前記汎用文書は、更にユーザ操作と該操作に伴い行われる処理内容とをを含み、
前記機器仕様情報は、ユーザ操作に対応する第１操作キーの操作を記述した情報を含んでおり、
前記受付手段は、
オペレータから第２操作キーの操作を受け付ける操作キー受付部を有し、
前記シミュレーション実行手段は、
受け付けられた第２操作キーの操作を第１操作キーの操作に置換する操作キー置換部と、
前記置換された第１操作キー操作に対応するユーザ操作の処理内容に応じて先に表示しているシミュレーション文書を変更して表示するシミュレーション文書変更部とを有することを特徴とする送信文書編集装置。
【請求項８】
請求項７記載の送信文書編集装置において、
前記汎用文書は、複数のテキスト要素からなり、
前記機器仕様情報は、更に、汎用文書を構成するテキスト要素の中の一部分のみを要約として表示対象として定義する出力情報を含み、
前記シミュレーション実行手段は、更に、
前記出力情報に従って表示対象のテキスト要素を前記汎用文書から選択してシミュレーション文書を作成するシミュレーション文書作成部を有することを特徴とする送信文書編集装置。
【請求項９】
請求項７記載の送信文書編集装置において、
前記処理内容は、特定の仮想マシン向言語で記述されたプログラムの形式で記載されており、
前記シミュレーション文書変更部は、当該プログラムに従いシミュレーション文書を変更することを特徴とする送信文書編集装置。
【請求項１０】
マーク付き言語で記述された汎用文書と、機器仕様情報とが相互の関連付けられた受信文書を受信する受信文書処理装置であって、
前記機器仕様情報は、仕様の異なる機器毎に、当該機器へのユーザの入力操作とその操作によって行われる汎用文書の処理との対応関係を定義する入力情報であり、
受信した受信文書を記憶する受信文書記憶手段と、
前記受信文書記憶手段に記憶されている受信文書を読み出す受信文書読出手段と、
読み出された受信文書から機器仕様情報と汎用文書とを識別する第１識別手段と、
機器仕様情報の中から自装置の機器仕様情報を識別する第２識別手段と、
表示画面と、
前記第１識別手段で識別された前記汎用文書に基づいて表示文書を作成して前記表示画面に表示し、ユーザが入力操作を行った際に、前記第２識別手段で識別された機器仕様情報を参照して前記操作に対応する処理を行い、前記表示画面に表示中の表示文書を変更する表示制御手段とを備えることを特徴とする受信文書処理装置。
【請求項１１】
請求項１０の受信文書処理装置において、
前記入力情報は、ユーザが当該受信側機器のボタン及び／又はキーを押下する操作と、その操作によって行われる汎用文書の処理との対応関係を定義しており、
前記表示制御手段は、第２識別手段で識別された入力情報を参照し、ユーザが押下したボタン及び／又はキーに対応する処理に従い前記表示画面に表示中の表示文書を変更することを特徴とする受信文書処理装置。
【請求項１２】
請求項１０記載の受信文書処理装置において、
前記機器仕様情報は、更に、汎用文書を構成するテキスト要素の中の一部分のみを要約として表示対象として定義する出力情報を含む情報であり、
前記第２識別手段は、自装置の機器仕様情報である入力情報と出力情報とを識別し、
前記表示制御手段は、表示文書を作成する際に、前記出力情報に従って表示するテキスト要素を選択するテキスト要素選択部を有することを特徴とする受信文書処理装置。
【請求項１３】
請求項１２記載の受信文書処理装置は、ページャ又は携帯電話であることを特徴とする受信文書処理装置。
【請求項１４】
請求項１０記載の受信文書処理装置において、
前記処理内容は、特定の仮想マシン向言語で記述されたプログラムの形式で記載されており、
前記第２表示制御部は、当該プログラムに従い表示文書を変更することを特徴とする受信文書処理装置。
【手続補正３】
【補正対象書類名】明細書
【補正対象項目名】０００１
【補正方法】変更
【補正の内容】
【０００１】
【発明の属する技術分野】
本発明は、マーク付言語により記述される送信文書を編集する送信文書編集装置及びその編集装置で編集された送信文書を受信して処理する受信文書処理装置に関する。
【手続補正４】
【補正対象書類名】明細書
【補正対象項目名】０００８
【補正方法】変更
【補正の内容】
【０００８】
また、本発明の別の目的は、送信文書編集装置で編集された送信文書を受信した移動体通信端末で最適な送信文書の表示とユーザの入力動作に対応した処理とを可能とする受信文書処理装置を提供することである。
【手続補正５】
【補正対象書類名】明細書
【補正対象項目名】０００９
【補正方法】変更
【補正の内容】
【０００９】
【課題を解決するための手段】
上記課題を解決するため本発明は、複数仕様の機器宛に送信される送信文書であって、マーク付言語により記述された汎用文書を編集する送信文書編集装置であって、マーク付言語により記述された汎用文書を記憶している文書記憶手段と、仕様の異なる受信側機器毎に、当該受信側機器へのユーザの入力操作とその汎用文書の処理との対応関係を定義する入力情報を含む機器仕様情報を記憶している機器仕様情報記憶手段と、前記文書記憶手段に記憶されている汎用文書と、前記機器仕様情報記憶手段に記憶されている複数の機器仕様情報とを読み出し、両者の関連付けを行い、関連付けたものを送信文書として生成する送信文書生成手段とを備えることとしている。
【手続補正６】
【補正対象書類名】明細書
【補正対象項目名】００６７
【補正方法】変更
【補正の内容】
【００６７】
【発明の効果】
以上説明したように、本発明は、複数仕様の機器宛に送信される送信文書であって、マーク付言語により記述された汎用文書を編集する送信文書編集装置であって、マーク付言語により記述された汎用文書を記憶している文書記憶手段と、仕様の異なる受信側機器毎に、当該受信側機器へのユーザの入力操作とその汎用文書の処理との対応関係を定義する入力情報を含む機器仕様情報を記憶している機器仕様情報記憶手段と、前記文書記憶手段に記憶されている汎用文書と、前記機器仕様情報記憶手段に記憶されている複数の機器仕様情報とを読み出し、両者の関連付けを行い、関連付けたものを送信文書として生成する送信文書生成手段とを備えることとしている。このような構成により、一つの送信文書を作成するだけで各移動体通信端末での処理が可能となり、各移動体通信端末毎に文書を作成することに対する労力を低減することが可能となる。
【手続補正７】
【補正対象書類名】明細書
【補正対象項目名】００６８
【補正方法】変更
【補正の内容】
【００６８】
また、前記入力情報は、ユーザが当該受信側機器のボタン及び／又はキーを押下する操作と、その操作によってなされる汎用文書の処理との対応関係を示しおり、
前記送信文書生成手段は、受信側機器の仕様に応じた入力情報を前記機器仕様情報記憶手段から読み出し、各仕様毎に識別できる状態で送信文書の一部に含ませることとしている。このような構成によって、機器仕様情報を記述した各移動体通信端末に共通の送信文書を作成すれば、各移動体通信端末ごとに個別の送信文書を作成するのと同様の汎用文書処理をすることができ、加えて移動体通信端末固有の操作によって汎用文書処理が可能となる。
【手続補正８】
【補正対象書類名】明細書
【補正対象項目名】００６９
【補正方法】変更
【補正の内容】
【００６９】
また、前記機器仕様情報は、更に、汎用文書を構成するテキスト要素の中の一部分のみを要約として表示対象として定義する出力情報を含む情報であり、前記送信文書生成手段は、受信側機器の仕様に応じた入力情報と出力情報を前記機器仕様情報記憶手段から読み出し、各仕様ごとに識別できる状態で送信文書の一部に含ませることとしている。
また、前記送信文書生成手段で生成された同一の送信文書を複数仕様の機器宛送信する送信手段を備えることとしている。
また、前記送信文書生成手段は、送信先の機器の仕様を取得し、取得した機器の仕様に対応する機器仕様情報のみを選択して送信文書を生成することとしている。
また、前記送信文書生成手段は、送信先の機器の仕様を取得し、取得した機器の仕様に対応する機器仕様情報のみを選択して送信文書を生成することとしている。
【手続補正９】
【補正対象書類名】明細書
【補正対象項目名】００７０
【補正方法】変更
【補正の内容】
【００７０】
また、前記送信文書生成手段で生成された送信文書を記憶している送信文書記憶手段と、オペレータからシミュレーションする機器の仕様の指示を受け付ける受付手段と、前記受付手段で受け付けられた機器の仕様に応じた前記送信文書記憶手段に記憶されている機器仕様情報と前記汎用文書とを読み出し、機器仕様情報に従い前記汎用文書からシミュレーション文書を作成して表示するシミュレーション実行手段とを備えることとしている。このような構成によって、送信先の各移動体通信端末で表示される表示文書を予めシミュレーション文書として確認することができるので、送信文書の作成効率を向上できる。  
【手続補正１０】
【補正対象書類名】明細書
【補正対象項目名】００７１
【補正方法】削除
【補正の内容】
【手続補正１１】
【補正対象書類名】明細書
【補正対象項目名】００７２
【補正方法】削除
【補正の内容】
【手続補正１２】
【補正対象書類名】明細書
【補正対象項目名】００７３
【補正方法】削除
【補正の内容】
【手続補正１３】
【補正対象書類名】明細書
【補正対象項目名】００７５
【補正方法】変更
【補正の内容】
【００７５】
また、前記汎用文書は、複数のテキスト要素からなり、前記機器仕様情報は、更に、汎用文書を構成するテキスト要素の中の一部分のみを要約として表示対象として定義する出力情報を含み、前記シミュレーション実行手段は、更に、前記出力情報に従って表示対象のテキスト要素を前記汎用文書から選択してシミュレーション文書を作成するシミュレーション文書作成部を有することとしている。このような構成によって、シミュレーション文書に含まれる文書要素を確認することができる。
また、前記処理内容は、特定の仮想マシン向言語で記述されたプログラムの形式で記
載されており、前記シミュレーション文書変更部は、当該プログラムに従いシミュレーション文書を変更することとしている。このような構成によって、HTMLブラウザによるプログラム実行が可能になる。
【手続補正１４】
【補正対象書類名】明細書
【補正対象項目名】００７６
【補正方法】変更
【補正の内容】
【００７６】
また、本発明は、マーク付き言語で記述された汎用文書と、機器仕様情報とが相互の関連付けられた受信文書を受信する受信文書処理装置であって、前記機器仕様情報は、仕様の異なる機器毎に、当該機器へのユーザの入力操作とその操作によって行われる汎用文書の処理との対応関係を定義する入力情報であり、受信した受信文書を記憶する受信文書記憶手段と、前記受信文書記憶手段に記憶されている受信文書を読み出す受信文書読出手段と、読み出された受信文書から機器仕様情報と汎用文書とを識別する第１識別手段と、
機器仕様情報の中から自装置の機器仕様情報を識別する第２識別手段と、表示画面と、
前記第１識別手段で識別された前記汎用文書に基づいて表示文書を作成して前記表示画面に表示し、ユーザが入力操作を行った際に、前記第２識別手段で識別された機器仕様情報を参照して前記操作に対応する処理を行い、前記表示画面に表示中の表示文書を変更する表示制御手段とを備えることとしている。このような構成によって、複数仕様の受信文書処理装置に共通の受信文書を受信した受信文書処理装置が自装置に適合した受信文書の表示が可能となる。
【手続補正１５】
【補正対象書類名】明細書
【補正対象項目名】００７７
【補正方法】変更
【補正の内容】
【００７７】
また、前記入力情報は、ユーザが当該受信側機器のボタン及び／又はキーを押下する操作と、その操作によって行われる汎用文書の処理との対応関係を定義しており、前記表示制御手段は、第２識別手段で識別された入力情報を参照し、ユーザが押下したボタン及び／又はキーに対応する処理に従い前記表示画面に表示中の表示文書を変更することとしている。このような構成によって、受信文書を受信して表示文書を表示し、ユーザの操作に対応して表示文書を変更することができる。
【手続補正１６】
【補正対象書類名】明細書
【補正対象項目名】００７８
【補正方法】変更
【補正の内容】
【００７８】
前記機器仕様情報は、更に、汎用文書を構成するテキスト要素の中の一部分のみを要約として表示対象として定義する出力情報を含む情報であり、
前記第２識別手段は、自装置の機器仕様情報である入力情報と出力情報とを識別し、
前記表示制御手段は、表示文書を作成する際に、前記出力情報に従って表示するテキスト要素を選択するテキスト要素選択部、を有することとしている。このような構成によって、受信文書処理装置に適合した表示文書の表示が容易となる。
【手続補正１７】
【補正対象書類名】明細書
【補正対象項目名】００７９
【補正方法】変更
【補正の内容】
【００７９】
また、ページャ又は携帯電話であることとしている。このような構成によって、パソコンが受信する受信文書と共通の受信文書をページャや携帯電話で受信して、ページャや携帯電話に適した文書表示が可能となる。
【手続補正１８】
【補正対象書類名】明細書
【補正対象項目名】００８０
【補正方法】変更
【補正の内容】
【００８０】
また、前記処理内容は、特定の仮想マシン向言語で記述されたプログラムの形
式で記載されており、前記第２表示制御部は、当該プログラムに従い表示文書を
変更することとしている。このような構成によって、HTMLブラウザによるプログ
ラムの実行が容易にできる。
【手続補正１９】
【補正対象書類名】明細書
【補正対象項目名】００８１
【補正方法】削除
【補正の内容】
【手続補正２０】
【補正対象書類名】明細書
【補正対象項目名】００８２
【補正方法】削除
【補正の内容】
【手続補正２１】
【補正対象書類名】明細書
【補正対象項目名】００８３
【補正方法】削除
【補正の内容】
【手続補正２２】
【補正対象書類名】明細書
【補正対象項目名】００８４
【補正方法】削除
【補正の内容】